(57)【要約】    【課題】カバー部材の落下防止および作業性の向上を図りつつ、ヒューズボックスを省略した低圧地中配電線の分岐・引込構造を提供する。    【解決手段】低圧地中配電線から立ち上げた低圧幹線２と架空引込線３との接続部を中空の電柱１の頂部近傍に収納する。電柱１の頂部近傍部分を縦割りの略半截状として、作業用の開口部６と架空引込線３の導入口７とを形成する。開口部６を覆う略半円筒状の蓋部２２と、蓋部２２の下端部に取り付けて導入口７を覆う被覆部材２４と、電柱１の頂部に冠して装着される嵌合部２３とからカバー部材８を構成する。電柱１の周りにカバー部材８を回動させることにより、開口部６を開閉する。【選択図】図６
2005237154.tif 000002
【特許請求の範囲】
【請求項１】
中空の電柱内部を通して低圧地中配電線から立ち上げた低圧幹線と架空引込線とを分岐線を介して接続する低圧地中配電線の分岐・引込構造において、電柱頂部近傍部分を縦割りの略半截状として作業用の開口部とこれに連接した架空引込線の導入口とを形成し、電柱の内壁面には低圧幹線と分岐線とを接続する端子台を上下方向に位置をずらせて複数段設置し、前記作業用の開口部を覆う略半円筒状の蓋部及びこの蓋部の下端部に取り付けられ前記架空引込線の導入口を覆う被覆部材と電柱の頂部に冠して回動可能に装着される嵌合部とを有するカバー部材により前記作業用の開口部を開閉可能とした低圧地中配電線の分岐・引込構造。
【請求項２】
上下方向に位置をずらせて設置した複数段の端子台は、最上段から順次電柱の径方向の位置を開口部側にずらせて設置した請求項１記載の低圧地中配電線の分岐・引込構造。
【請求項３】
前記端子台は、電柱内壁面に対し着脱可能に設置されている請求項２記載の低圧地中配電線の分岐・引込構造。
【請求項４】
前記カバー部材は、略半円筒状の蓋部端縁と略半截状とした電柱の開口部端縁との重なり部分の少なくとも一箇所においてプッシュリベットによって電柱に止着されている請求項１記載の低圧地中配電線の分岐・引込構造。
【請求項５】
前記カバー部材がＦＲＰ製である請求項１又は４記載の低圧地中配電線の分岐・引込構造。
【発明の詳細な説明】
【技術分野】
【０００１】
本発明は、中空の電柱内部を通して低圧地中配電線から立ち上げた低圧幹線と架空引込線とを分岐線を介して接続するための低圧地中配電線の分岐・引込構造に関するものである。
【背景技術】
【０００２】
近年、都市計画の一環として低圧配電線の地中化が進んでいる。このような低圧地中配電線から各需用家への分岐・引込に架空引込線を用いる場合、引込用の電柱によって低圧地中配電線から上方に低圧幹線を導き、この低圧幹線に架空引込線を接続するようにしている。さらに、引込用の電柱として鋼管電柱を採用し、その内部を通して低圧幹線を立ち上げることにより、低圧幹線を隠して電柱の美装化を図ることがある。
【０００３】
また、電柱の柱上に、その軸線に沿わせてヒューズボックスを直付けし、このヒューズボックスに、低圧線と引込線とを接続するための分岐線およびヒューズを収納することにより、引込アームを省略して簡素化を図り、低圧線と引込線との接続部を隠蔽して美装化を図ることがある。
【０００４】
図７に鋼管電柱およびヒューズボックスを用いた低圧線の分岐・引込構造の一例を示す（特許文献１）。この分岐・引込構造では、鋼管製の電柱１０１に設けた凹陥部に、開閉蓋１０２を有するヒューズボックス（分岐引込箱）１０３を嵌装し、このヒューズボックス１０３に、電柱１０１の内部を通して立ち上げた低圧幹線１０４を導き入れている。低圧幹線１０４は、ヒューズボックス１０３の内部で、分岐線１０５およびヒューズ１０６を介して架空引込線１０７に接続されている。
【特許文献１】登録実用新案  第３０２５８８４号公報（段落番号０００８、００１１、第１図）
【発明の開示】
【発明が解決しようとする課題】
【０００５】
ところで、近年のますます高まりつつある美装化への要求に応えるため、低圧幹線と引込線との接続部を鋼管電柱の内部空間に収納することにより、ヒューズボックスを省略することが望まれる。
【０００６】
ただ、低圧幹線と引込線との接続部を収納するには、鋼管電柱に作業用の開口部を形成し、この開口部を開閉する開閉蓋を設ける必要がある。この開閉蓋を鋼管電柱に着脱自在に設ける場合、鋼管電柱から取り外した開閉蓋を保持するための機材が必要であり、かつ開閉蓋の落下のおそれがある。一方、開閉蓋を蝶番によって鋼管電柱に取り付ける場合、開閉蓋が低圧幹線と引込線との接続作業やメンテナンスの邪魔になりやすい。
【０００７】
本発明は、開閉蓋の保持用機材の省略、開閉蓋の落下防止および作業性の向上を図りつつ、ヒューズボックスを省略可能な低圧地中配電線の分岐・引込構造を提供することを目的とする。
【課題を解決するための手段】
【０００８】
上記課題に鑑み、本発明は、中空の電柱内部を通して低圧地中配電線から立ち上げた低圧幹線と架空引込線とを分岐線を介して接続することを前提として、電柱頂部近傍部分に、作業用の開口部とこれに連接した架空引込線の導入口とを形成し、その作業用の開口部をカバー部材によって開閉可能とした低圧地中配電線の分岐・引込構造を提供するものである。
【０００９】
作業用の開口部と架空引込線の導入口とは、電柱頂部近傍部分を縦割りの略半截状とすることにより形成し、電柱の内壁面に、低圧幹線と分岐線とを接続する端子台を上下方向に位置をずらせて複数段設置する。これにより、低圧幹線および分岐線の複数の端子を上下方向に分散させることができ、狭い空間内に多くの端子を配置することができる。
【００１０】
カバー部材は、作業用の開口部を覆う略半円筒状の蓋部と、この蓋部の下端部に取り付けられ架空引込線の導入口を覆う被覆部材と、電柱の頂部に冠して回動可能に装着される嵌合部とを有する構造とする。
【００１１】
この構成によれば、カバー部材の嵌合部を電柱の周りに回動させて、カバー部材の蓋部を電柱の周方向に沿って移動させることにより、作業用の開口部を開閉することができる。嵌合部を１８０°回動させることにより、蓋部を開口部とは反対側に位置させることができるので、カバー部材が、低圧幹線と引込線との接続作業やメンテナンスを行うときの邪魔にならずにすむ。また、嵌合部を回動させることにより、電柱の頂部に冠した状態を維持しつつ開口部を開閉するので、カバー部材を保持する機材が不要であり、かつ、カバー部材の落下を防止することができる。
【００１２】
上下方向に位置をずらせて設置した複数段の端子台を、最上段から順次電柱の径方向の位置を開口部側にずらせて設置すれば、低圧幹線の曲がりを緩やかにして、その分、太く剛性の大きい低圧幹線の曲げ加工を簡単にすることができる。
【００１３】
つまり、上段側の端子台において分岐線に接続する低圧幹線は、下段側の端子台における接続の邪魔にならないように、開口部から見て下段側の端子台の背面側を通し、その上方において開口部側に湾曲させることにより、上段側の端子台に接続することになる。そこで、下段側の端子台を開口部側にずらせることにより、低圧幹線の曲がりを緩やかにすることができる。
【００１４】
端子台を電柱内壁面に対し着脱可能に設置すれば、上段側の端子台に接続する低圧幹線を配置した後に下段側の端子台を取り付けることにより、この端子台の背面側に低圧幹線を位置させることができる。これにより、端子台および低圧幹線を容易に配置することができる。
【００１５】
略半円筒状の蓋部端縁と略半截状とした電柱の開口部端縁との重なり部分の少なくとも一箇所において、カバー部材をプッシュリベットによって電柱に止着する。そうすれば、風などの予期せぬ外力によるカバー部材の回動を防止し、開口部の閉状態を維持することができる。プッシュリベットは、そのピンの押し込みによって容易に固定および取り外しが可能なものであり、開口部の開閉を簡単にすることができる。
【００１６】
カバー部材をＦＲＰ製とすることにより、所望の強度を確保しつつカバー部材の軽量化を図り、開口部の開閉をより簡単にすることができる。
【発明の効果】
【００１７】
本発明によると、低圧幹線と分岐線とを接続する端子台を電柱の内壁面に設けるので、ヒューズボックスの省略による美観性の向上を図ることができる。また、カバー部材の嵌合部を電柱の頂部に冠したまま回動させて作業用の開口部を開閉するので、蓋部を開口部とは反対側に位置させることによる作業性の向上、カバー部材を保持する保持用機材の省略によるコスト低減、カバー部材の落下防止による安全性の向上を図ることができる。
【発明を実施するための最良の形態】
【００１８】
以下、本発明に係る低圧地中配電線の分岐・引込構造を実施するための最良の形態について、図面を用いて説明する。図１は本発明に係る低圧地中配電線の分岐・引込構造を備えた電柱の側面図である。図２は低圧幹線と架空引込線との接続部を示す図であり、（ａ）は正面図、（ｂ）は側面図、（ｃ）はＡ−Ａ断面図である。図３は電柱の頂部近傍を示す拡大図（カバー部材を装着）であり、（ａ）は正面図、（ｂ）は側面図である。図４は電柱の頂部近傍を示す拡大図（カバー部材を非装着）であり、（ａ）は正面図、（ｂ）は側面図である。
【００１９】
この低圧地中配電線の分岐・引込構造は、中空の電柱１の内部を通して低圧地中配電線から立ち上げた低圧幹線２と、需用家に引き込むための架空引込線３とを分岐線４を介して接続するものであり、低圧幹線２に分岐線４を接続するための端子台５と、電柱１の端子台５に対向する部位に形成された作業用の開口部６と、電柱１の内部に架空引込線３を導入するための導入口７と、電柱１の周りに回動させることにより開口部６を開閉するカバー部材８とを備えている。
【００２０】
電柱１は、鋼管の上端を円板状の天板９で塞いでなり、その頂部近傍に、低圧幹線２と架空引込線３との接続部を収納するようになっている。なお、電柱１の頂部近傍の内壁面は、絶縁用のゴム板１０で覆われ、低圧幹線２と架空引込線３との接続部が電柱１に直接接触することを防止している。
【００２１】
電柱１の内部には、２つの灯動共用相２ａ、２ｂ、動力専用相２ｃおよび接地相２ｄとしての合計４本の低圧幹線２が立ち上げられ、その全てにケーブル１１を接続することにより、出力相数の一番多い三相４線式に対応可能とされる。
【００２２】
架空引込線３は、４本の低圧幹線２のうちから複数本を選択して、それぞれの低圧幹線２に接続したケーブル１１を束ねてなり、三相３線式や単相３線式などの出力形式に対応する。この架空引込線３は、導入口７の下方に設けられたストラップ１２に留められ、低圧幹線２との接続部側が引っ張られることを防止している。
【００２３】
図２における架空引込線３は、２つの灯動共用相２ａ、２ｂおよび動力専用相２ｃに接続した３本のケーブル１１を束ねてなる三相３線式とされている。なお、灯動共用相２ａ、２ｂおよび接地相２ｄに接続した３本のケーブル１１を束ねることにより、単相３線式とすることができる。
【００２４】
分岐線４は、複数本のケーブル４ａの一端を羽子板端子１３で束ねてなる端子式分岐線とされ、その羽子板端子１３を低圧幹線２に接続して、ケーブル４ａの他端にケーブル１１を接続するようになっている。この分岐線４のうち、共用相２ａ、２ｂに接続されるものは、そのケーブル４ａとケーブル１１との間に低圧密閉形ヒューズ１４が介装されている。
【００２５】
端子台５は、断面Ｌ字形の基板１５に端子止め１６を突設してなり、その端子止め１６に、低圧幹線２の先端に取り付けられた羽子板状の圧縮銅管端子１７と、分岐線４の羽子板端子１３とを重ねて締結することにより、低圧幹線２に分岐線４を接続するようになっている。
【００２６】
端子台５は、２つを１組にしてＴ字形をなすように背中合わせに配置し、この１組の端子台５を１枚の端子台取付プレート１８にボルト締結するようになっている。電柱１の内壁面に、２枚の端子台取付プレート１８が上下方向に位置をずらせて取り付けられ、この端子台取付プレート１８にそれぞれ１組ずつの端子台５をボルト締結することにより、合計４つの端子台５が設置される。
【００２７】
上段側の端子台５に締結される低圧幹線２（灯動共用相２ａ、２ｂ）は、下段側の端子台取付プレート１８の背面側を通り、下段側の端子台取付プレート１８よりも上方において正面側に湾曲している。下段側の端子台取付プレート１８は、電柱１の径方向における位置を上段側のものよりも開口部６側にずらして設置され（ずれ量：ａ）、低圧幹線２（灯動共用相２ａ、２ｂ）の湾曲を緩やかにしている。
【００２８】
上段側の端子台取付プレート１８は、電柱１の内壁面に直接溶接されている。一方、下段側の端子台取付プレート１８は、電柱１の内壁面に溶接された取付金具１９にボルト締結することにより、電柱１の内壁面に対し着脱可能とされ、低圧幹線２（灯動共用相２ａ、２ｂ）を配置した後に、電柱１に取り付け可能とされている。なお、図２における２０は、導入口７から侵入した鳥類による相間短絡を防止するためのターミナル絶縁カバーである。
【００２９】
開口部６は、電柱１の頂部近傍部分を縦割りの略半截状とすることにより形成され、この開口部６の下端に連接して略半円状の導入口７が形成されている。開口部６の側縁上端には切欠２１が形成され、上段側の端子台５の端子止め１６に低圧幹線２の圧縮銅管端子１７および分岐線４の羽子板端子１３を締結する際に工具を挿入可能とされる。
【００３０】
カバー部材８は、開口部６を覆う蓋部２２と、電柱１の頂部に冠して装着される嵌合部２３と、導入口７を覆う被覆部材２４とからなり、嵌合部２３を電柱１の周りに回動させることにより、蓋部２２および被覆部材２４が電柱１の周方向に移動して、開口部６および導入口７を開閉するようになっている。
【００３１】
蓋部２２は、その周方向および上下方向の寸法を開口部６よりもわずかに大きく設定された略半円筒状とされ、嵌合部２３は、電柱１よりも一回り大きい径に設定された逆コップ状とされる。この蓋部２２および嵌合部２３は、蓋部２２の上端に嵌合部２３の下縁を連続させるように、ＦＲＰにより一体成形される。なお、蓋部２２および嵌合部２３を構成するＦＲＰは、ガラス繊維で補強された複数の合成樹脂層を重ね合わせ、その表裏面を着色用のゲルコートで被覆してなる。
【００３２】
被覆部材２４は、導入部７を覆い隠す大きさに形成されたゴムシートに、架空引込線３を貫通可能にするスリットを形成してなり、蓋部２２の下端部に、樹脂により接着又はビスにより止着されている。
【００３３】
このカバー部材８は、蓋部２２の端縁と開口部６の端縁との重なり部分の複数箇所をプッシュリベット２５で止着することにより、電柱１に対する回動を阻止して開口部６の閉状態を維持するようになっている。
【００３４】
図５に示すように、プッシュリベット２５は、周方向に４分割された筒部２６と、筒部２６を貫通するピン２７とからなり、これらが絶縁性の樹脂から形成されている。筒部２６は、基端側の鍔により一体化され、先端側をリベット孔に挿入するようになっている。筒部２６をリベット孔に挿入した後、基端側からピン２７を押すことにより、ピン２７の周面に形成された膨出部（図示せず）が筒部２６を広げ、リベット孔からの抜け出しを阻止する。基端側からピン２７をさらに押すことにより、膨出部が筒部２６を先端側に貫通し、狭まった筒部２６のリベット孔からの抜き出しが可能になる。
【００３５】
次に、電柱にカバー部材を装着する手順を説明する。図６は電柱にカバー部材を装着する手順を説明する図である。まず、図６（ａ）〜（ｃ）に示すように、嵌合部２３を電柱１の頂部に被せるようにして装着し、嵌合部２３を電柱１の周りに回動させて、蓋部２２で開口部６を覆うと共に被覆部材２４で導入口７を覆うように位置決めする。次いで、プッシュリベット２５により、カバー部材８を電柱１に止着して回動を阻止する。
【００３６】
図６（ｄ）に示すように、メンテナンスなどのために開口部６を開くとき、プッシュリベット２５を取り外して、嵌合部２３を電柱１の周りに１８０°回転させる。これにより、蓋部２２および被覆部材２４は、電柱１の周方向に移動して開口部６および導入口７とは反対側に位置し、作業の邪魔にならないようになる。
【００３７】
上記構成によれば、電柱１に低圧幹線２と架空引込線３との接続部を収納するので、電柱１から突出する部位をなくすことができ、その美観性を高めることができる。また、略半円筒状の蓋部２２と逆コップ状の嵌合部２３とシート状の被覆部材２４とからカバー部材８を構成し、その嵌合部２３を電柱１の頂部に冠して装着するので、カバー部材８の落下を防止しつつ、電柱１の周りに回動させて作業用の開口部６を容易に開閉することができる。
【図面の簡単な説明】
【００３８】
【図１】本発明に係る低圧地中配電線の分岐・引込構造を備えた電柱の側面図
【図２】低圧幹線と架空引込線との接続部を示す図
【図３】電柱の頂部近傍を示す拡大図（カバー部材を装着）
【図４】電柱の頂部近傍を示す拡大図（カバー部材を非装着）
【図５】プッシュリベットの側面図
【図６】電柱にカバー部材を装着する手順を説明する図
【図７】従来の低圧線の分岐・引込構造の断面図
【符号の説明】
【００３９】
１    電柱
２    低圧幹線
３    架空引込線
４    分岐線
５    端子台
６    開口部
７    導入口
８    カバー部材
２２  蓋部
２３  嵌合部
２４  被覆部材
２５  プッシュリベット
【図１】
2005237154.tif 000003
【図２】
2005237154.tif 000004
【図３】
2005237154.tif 000005
【図４】
2005237154.tif 000006
【図５】
2005237154.tif 000007
【図６】
2005237154.tif 000008
【図７】
2005237154.tif 000009